(57)【要約】【課題】  開閉扉４の開口縁１ａに設けた防露ヒータ５への無駄な通電等を無くする。【解決手段】  断熱箱製保冷庫本体１上部に設けた機械室２内に冷凍サイクルを組み込んだ玄米保冷庫Ａである。防露ヒータ５の発熱によって開口縁１ａの結露を防止する。冷凍サイクルは、庫内温度Ｔｓに基づき保冷庫本体１内が適温（１２℃）になるように自動制御されて、保冷庫本体１内の玄米３が冷却貯蔵される。また、外気温度が１２℃以下となり、その１２℃以下が１時間継続した場合、防露ヒータ５への通電及び冷凍サイクルを自動停止する。このようにすれば、図に示す年間の外気温変化において、「春季」及び「秋季」は「自動休止（停止）」と「自動運転」が半々、「夏季」は「自動運転」、「冬季」は「自動休止」となり、冷凍サイクル及び防露ヒータ５の駆動が効率的に行われて無駄のない保冷を行うことができる。【選択図】  図１３
2008070034.tif 000002
【特許請求の範囲】
【請求項１】
保冷庫本体（１）に冷凍サイクルを付設し、その冷凍サイクルを庫内温度センサに基づき前記保冷庫本体（１）内が設定温度（Ｔ０）になるように自動制御する保冷庫（Ａ）において、
上記保冷庫本体（１）の扉開口縁（１ａ）に防露ヒータ（５）を設け、外気温度センサの感知温度（Ｔｎ）が上記設定温度（Ｔ０）以下になった時、前記防露ヒータ（５）への通電を自動停止するようにしたことを特徴とする保冷庫。
【請求項２】
保冷庫本体（１）に冷凍サイクルを付設し、その冷凍サイクルを庫内温度センサに基づき前記保冷庫本体（１）内が設定温度（Ｔ０）になるように自動制御する保冷庫（Ａ）において、
上記保冷庫本体（１）の扉開口縁（１ａ）に防露ヒータ（５）を設け、外気温度センサの感知温度（Ｔｎ）が上記設定温度（Ｔ０）に上記保冷庫本体（１）の断熱性能に相当する温度（Ｔ１）を加えた温度（Ｔ０＋Ｔ１）以下になった時、前記防露ヒータ（５）への通電を自動停止するようにしたことを特徴とする保冷庫。
【請求項３】
保冷庫本体（１）に冷凍サイクルを付設し、その冷凍サイクルを庫内温度センサに基づき前記保冷庫本体（１）内が設定温度（Ｔ０）になるように自動制御する保冷庫（Ａ）において、
上記保冷庫本体（１）の扉開口縁（１ａ）に防露ヒータ（５）を設け、外気温度センサの感知温度（Ｔｎ）が、上記設定温度（Ｔ０）に、その感知温度（Ｔｎ）とその感知時の露点温度（Ｔｍ）との差（Ｔ２＝Ｔｎ−Ｔｍ）を加えた温度（Ｔ０＋Ｔ２）以下になった時、前記防露ヒータ（５）への通電を自動停止するようにしたことを特徴とする保冷庫。
【請求項４】
保冷庫本体（１）に冷凍サイクルを付設し、その冷凍サイクルを庫内温度センサに基づき前記保冷庫本体（１）内が設定温度（Ｔ０）になるように自動制御する保冷庫（Ａ）において、
上記保冷庫本体（１）の扉開口縁（１ａ）に防露ヒータ（５）を設け、外気温度センサの感知温度（Ｔｎ）が、上記設定温度（Ｔ０）に、上記保冷庫本体（１）の断熱性能に相当する温度（Ｔ１）及びその感知温度（Ｔｎ）とその感知時の露点温度（Ｔｍ）との差（Ｔ２＝Ｔｎ−Ｔｍ）を加えた温度（Ｔ０＋Ｔ１＋Ｔ２）以下になった時、前記防露ヒータ（５）への通電を自動停止するようにしたことを特徴とする保冷庫。
【請求項５】
保冷庫本体（１）に冷凍サイクルを付設し、その冷凍サイクルを庫内温度センサに基づき前記保冷庫本体（１）内が設定温度（Ｔ０）になるように自動制御する保冷庫（Ａ）において、
上記保冷庫本体（１）の扉開口縁（１ａ）に防露ヒータ（５）を設け、外気温度センサの感知温度（Ｔｎ）が、上記設定温度（Ｔ０）に、上記保冷庫本体（１）の断熱性能に相当する温度（Ｔ１）及びその感知温度（Ｔｎ）とその感知時の露点温度（Ｔｍ）との差（Ｔ２＝Ｔｎ−Ｔｍ）を加えた温度（Ｔ０＋Ｔ１＋Ｔ２）と、前記設定温度（Ｔ０）との間の一定の温度（Ｔ３）以下になった時、前記防露ヒータ（５）への通電を自動停止するようにしたことを特徴とする保冷庫。
【請求項６】
上記外気温度センサの感知温度（Ｔｎ）が上記設定温度（Ｔ０）以下となれば、上記冷凍サイクルを自動停止するようにしたことを特徴とする請求項１乃至５のいずれかに記載の保冷庫。
【請求項７】
上記外気温度センサの感知温度（Ｔｎ）が上記設定温度（Ｔ０）以下となり、その感知温度の設定温度（Ｔ０）以下が一定時間（ｔ）継続した場合、上記冷凍サイクルを自動停止するようにしたことを特徴とする請求項１乃至５のいずれかに記載の保冷庫。
【請求項８】
保冷庫本体（１）に冷凍サイクルを付設し、その冷凍サイクルを庫内温度センサに基づき前記保冷庫本体（１）内が設定温度（Ｔ０）になるように自動制御する保冷庫（Ａ）において、
上記保冷庫本体（１）の扉開口縁（１ａ）に防露ヒータ（５）を設け、外気温度センサの感知温度（Ｔｎ）が上記設定温度（Ｔ０）以下となり、その感知温度（Ｔｎ）の設定温度（Ｔ０）以下が一定時間（ｔ）継続した場合、前記防露ヒータ（５）への通電を自動停止するとともに、上記冷凍サイクルも自動停止するようにしたことを特徴とする保冷庫。
【請求項９】
保冷庫本体（１）に付設した冷凍サイクルを、庫内温度センサに基づき、その保冷庫本体（１）内が設定温度（Ｔ０）になるように自動制御する保冷庫（Ａ）の制御方法において、
外気温度（Ｔｎ）が上記設定温度（Ｔ０）以下になった時、上記保冷庫本体（１）の扉開口縁（１ａ）に設けた防露ヒータ（５）への通電を自動停止するようにしたことを特徴とする保冷庫の制御方法。
【請求項１０】
保冷庫本体（１）に付設した冷凍サイクルを、庫内温度センサに基づき、その保冷庫本体（１）内が設定温度（Ｔ０）になるように自動制御する保冷庫（Ａ）の制御方法において、
外気温度（Ｔｎ）が、上記設定温度（Ｔ０）に上記保冷庫本体（１）の断熱性能に相当する温度（Ｔ１）を加えた温度（Ｔ０＋Ｔ１）以下になった時、上記保冷庫本体（１）の扉開口縁（１ａ）に設けた防露ヒータ（５）への通電を自動停止するようにしたことを特徴とする保冷庫の制御方法。
【請求項１１】
保冷庫本体（１）に付設した冷凍サイクルを、庫内温度センサに基づき、その保冷庫本体（１）内が設定温度（Ｔ０）になるように自動制御する保冷庫（Ａ）の制御方法において、
外気温度（Ｔｎ）が、上記設定温度（Ｔ０）に、その感知温度（Ｔｎ）とその感知時の露点温度（Ｔｍ）との差（Ｔ２＝Ｔｎ−Ｔｍ）を加えた温度（Ｔ０＋Ｔ２）以下になった時、上記保冷庫本体（１）の扉開口縁（１ａ）に設けた防露ヒータ（５）への通電を自動停止するようにしたことを特徴とする保冷庫の制御方法。
【請求項１２】
保冷庫本体（１）に付設した冷凍サイクルを、庫内温度センサに基づき、その保冷庫本体（１）内が設定温度（Ｔ０）になるように自動制御する保冷庫（Ａ）の制御方法において、
外気温度（Ｔｎ）が、上記設定温度（Ｔ０）に、上記保冷庫本体（１）の断熱性能に相当する温度（Ｔ１）及びその感知温度（Ｔｎ）とその感知時の露点温度（Ｔｍ）との差（Ｔ２＝Ｔｎ−Ｔｍ）を加えた温度（Ｔ０＋Ｔ１＋Ｔ２）以下になった時、上記保冷庫本体（１）の扉開口縁（１ａ）に設けた防露ヒータ（５）への通電を自動停止するようにしたことを特徴とする保冷庫の制御方法。
【請求項１３】
保冷庫本体（１）に付設した冷凍サイクルを、庫内温度センサに基づき、その保冷庫本体（１）内が設定温度（Ｔ０）になるように自動制御する保冷庫（Ａ）の制御方法において、
外気温度（Ｔｎ）が、上記設定温度（Ｔ０）に上記保冷庫本体（１）の断熱性能に相当する温度（Ｔ１）及びその感知温度（Ｔｎ）とその感知時の露点温度（Ｔｍ）との差（Ｔ２＝Ｔｎ−Ｔｍ）を加えた温度（Ｔ０＋Ｔ１＋Ｔ２）と、前記設定温度（Ｔ０）との間の一定の温度（Ｔ３）以下になった時、上記保冷庫本体（１）の扉開口縁（１ａ）に設けた防露ヒータ（５）への通電を自動停止するようにしたことを特徴とする保冷庫の制御方法。
【請求項１４】
外気温度（Ｔｎ）が上記設定温度（Ｔ０）以下となれば、上記冷凍サイクルを自動停止するようにしたことを特徴とする請求項９乃至１３のいずれかに記載の保冷庫の制御方法。
【請求項１５】
上記外気温度（Ｔｎ）が上記設定温度（Ｔ０）以下となり、その感知温度の設定温度（Ｔ０）以下が一定時間（ｔ）継続した場合、上記冷凍サイクルを自動停止するようにしたことを特徴とする請求項９乃至１３のいずれかに記載の保冷庫の制御方法。
【請求項１６】
保冷庫本体（１）に付設した冷凍サイクルを、庫内温度センサに基づき、その保冷庫本体（１）内が設定温度（Ｔ０）になるように自動制御する保冷庫（Ａ）の制御方法において、
外気温度（Ｔｎ）が上記設定温度（Ｔ０）以下となり、その外気温度（Ｔｎ）の設定温度（Ｔ０）以下が一定時間（ｔ）継続した場合、上記保冷庫本体（１）の扉開口縁（１ａ）に設けた防露ヒータ（５）への通電を自動停止するともに、上記冷凍サイクルも自動停止するようにしたことを特徴とする保冷庫の制御方法。
【発明の詳細な説明】
【技術分野】
【０００１】
この発明は、籾、玄米等の乾物や野菜、果物等の生物を冷却貯蔵する保冷庫及びその制御方法に関するものである。
【背景技術】
【０００２】
この種の保冷庫は、図１４に示すように、通常、断熱箱からなる保冷庫本体１の上部に機械室２を設け、その機械室２内に冷凍サイクルを組み込み、この冷凍サイクルを庫内温度センサに基づき保冷庫本体１内が設定温度（適温）Ｔ０になるように制御して、保冷庫本体１内の玄米３等の貯蔵物を冷却貯蔵するものが一般的である（特許文献１参照）。
【特許文献１】特開２００４−１２０３７号公報
【０００３】
この保冷庫Ａにおいて、一般的に、庫内温度（保冷庫本体１の貯蔵室の温度）Ｔｓが外気温度Ｔｎより低いと、保冷庫本体１の扉４が開閉する開口縁１ａに結露が生じる。このため、従来から、その開口縁１ａに防露ヒータ５を設け、この防露ヒータ５の発熱によってその結露を防止するようにしている。
【発明の開示】
【発明が解決しようとする課題】
【０００４】
上記従来の保冷庫の防露ヒータ５は、常時通電又は手動スイッチによる通電・非通電するものである。このため、外気温度Ｔｎが庫内温度Ｔｓ以下等になって、上記結露が生じない状態になっても、常時通電の防露ヒータ５は発熱し続けているため（通電され続けているため）、その防露ヒータ５への通電が無駄になっている。また、通電・非通電操作が手動の防露ヒータ５は、その操作が煩わしく、切り忘れによる防露ヒータ５への無駄な通電がされ易い。
【０００５】
このため、庫内温度Ｔｓに基づき、防露ヒータ５を制御するようにして防露ヒータ５への無駄な通電を無くするようにした技術がある（特許文献２  請求項１等参照）。
しかし、この従来技術は、庫内温度Ｔｓに基づき、防露ヒータ５を通電・非通電とするものであり、防露ヒータ５による防露が十分に行われない恐れがある。すなわち、通常、保冷庫本体１開口縁１ａの結露は庫内温度Ｔｓより外気温度Ｔｎが高い場合に生じ、庫内温度Ｔｓに基づき防露ヒータ５を制御すると、庫内（保冷庫本体１内）が防露ヒータ５への通電を停止する温度になっても、外気温度Ｔｎはその庫内温度Ｔｓ以上の場合があり、夏場は、通常、その場合のため、保冷庫本体１開口縁１ａに結露が生じる恐れがある。
【特許文献２】特開２００１−２１２５５号公報
【０００６】
この発明は、保冷庫本体１開口縁１ａの結露を有効に防止しつつ、上記の防露ヒータ５への無駄な通電を無くすことを課題とする。
【課題を解決するための手段】
【０００７】
上記課題を達成するために、この発明は、通常、保冷庫はその庫内が冷凍サイクルにより設定温度Ｔ０になるように自動制御されている点に着目し、まず、外気温度Ｔｎがその設定温度Ｔ０以下になれば、上記防露ヒータ５への通電を自動的に止めるようにしたのである。
このようにすれば、保冷庫はその庫内が冷凍サイクルにより設定温度Ｔ０になるように自動制御されて、庫内温度Ｔｓはその設定温度Ｔ０程度に維持されるため、防露ヒータ５への通電が停止されるときは、通常、外気温度Ｔｎは庫内温度Ｔｓと同じか、それより低い場合となって、結露が生じにくい状態であるため、保冷庫本体開口縁の結露は有効に防止される。この制御例を、図１に示すタイムチャートにおいて、外気温度Ｔｎが点線の場合で示す。
【０００８】
つぎに、保冷庫は、その本体の断熱性能に基づき外気温度Ｔｎと庫内温度Ｔｓに一定の差が生じた時に結露が生じるとされている。例えば、保冷庫本体（断熱箱体）の断熱性能が５℃で、庫内温度Ｔｓが１２℃の場合、外気温度Ｔｎが１７℃以上の場合に結露が生じる。
この発明は、そのことに着目し、外気温度Ｔｎが、上記設定温度Ｔ０にその保冷庫本体の断熱性能に相当する温度Ｔ１を加えた温度（Ｔ０＋Ｔ１）以下になった時、防露ヒータ５への通電を自動停止するようにしたのである。例えば、Ｔ０＝１２℃、Ｔ１＝５℃の場合、Ｔｎ≦１７℃となった時、防露ヒータ５への通電を自動停止する。
このようにすれば、上記の外気温度Ｔｎが設定温度Ｔ０以下になると防露ヒータ５への通電を自動停止する場合に比べて、外気温度ＴｎがＴ１℃高い場合にも、防露ヒータ５への通電が自動停止されるため、通電無駄がなくなる（省エネルギー化が図られる）。この制御例を、図１に示すタイムチャートにおいて、外気温度Ｔｎが破線の場合で示す。
【０００９】
さらに、結露の発生は外気湿度（周囲湿度）にも影響される。例えば、周囲湿度を７５％とすると、外気温度Ｔｎと露点温度（結露温度）Ｔｍの関係は下記表１の通りであり、庫内温度Ｔｓと外気温度Ｔｎの温度差（Ｔｎ−Ｔｓ）が、その外気温度Ｔｎと露点温度Ｔｍの温度差（Ｔ２＝Ｔｎ−Ｔｍ）以上になると、結露が生じることとなる。例えば、外気温度Ｔｎ＝３０℃の場合、庫内温度Ｔｓと外気温度Ｔｎの温度差（Ｔｎ−Ｔｓ）がその外気温度Ｔｎと露点温度Ｔｍの温度差（Ｔ２＝３０℃−２５．１℃）以上になると（（Ｔｎ−Ｔｓ）≧４．９℃）、結露が生じることとなる。
【００１０】
【表１】
2008070034.tif 000003
【００１１】
この発明は、この温度差Ｔ２に基づく結露発生に着目し、外気温度Ｔｎが、上記設定温度Ｔ０にその温度差Ｔ２（Ｔｎ−Ｔｍ）を加えた温度（Ｔ０＋Ｔ２）以下になった時、防露ヒータ５への通電を自動停止するようにしたのである。そのＴ２は、例えば、Ｔ０＝１２℃、Ｔ２＝６℃の場合、Ｔｎ≦１８℃となった時、防露ヒータ５への通電を自動停止する。
このようにすれば、上記の外気温度Ｔｎが設定温度Ｔ０以下になると防露ヒータ５への通電を自動停止する場合に比べて、外気温度ＴｎがＴ２℃高い場合にも、防露ヒータ５への通電が自動停止されるため、通電無駄がなくなる（省エネルギー化が図られる）。この制御例を、図１に示すタイムチャートにおいて、外気温度Ｔｎが２点鎖線の場合で示す。
Ｔ２は、露点温度Ｔｍを検出してその検出温度に基づき、その都度（判断時）決定しても良いが、この保冷庫を設置（使用）する場所、季節等を考慮して、結露が生じないと考え得る温度を適宜に設定する。例えば、上記表１から、その平均値に近い５℃等とする。
【００１２】
この「断熱性能に相当する温度Ｔ１」と「外気温度Ｔｎと露点温度Ｔｍとの温度差Ｔ２」を考慮する点は併用することができる。すなわち、外気温度Ｔｎが、上記設定温度Ｔ０に、その断熱性能に相当する温度Ｔ１とその感知温度Ｔｎとその感知時の露点温度Ｔｍとの差Ｔ２を加えた温度（Ｔ０＋Ｔ１＋Ｔ２）以下になった時、防露ヒータ５への通電を自動停止するようにすることができる。例えば、Ｔ０＝１２℃、Ｔ１＝５℃、Ｔ２＝５℃の場合、Ｔｎ≦２２℃となった時、防露ヒータ５への通電を自動停止する。
このようにすれば、その両者の利点を得ることができるため、さらなる省エネルギー化を図ることができる。この制御例を、図１に示すタイムチャートにおいて、外気温度Ｔｎが実線の場合で示す。
【００１３】
上記は、「庫内温度Ｔｓが設定温度Ｔ０となる場合」を基礎とし、「断熱性能に相当する温度Ｔ１」と「外気温度Ｔｎと露点温度Ｔｍとの温度差Ｔ２」を考慮した制御であるが、この「断熱性能に相当する温度Ｔ１」及び「外気温度Ｔｎと露点温度Ｔｍとの温度差Ｔ２」は、保冷庫本体の構成等により一義的に決定し得ない場合がある。このため、種々の保冷庫本体の構成等に基づき、上記設定温度Ｔ０と、その設定温度Ｔ０に保冷庫本体の断熱性能に相当する温度Ｔ１及びその感知温度Ｔｎとその感知時の露点温度Ｔｍとの差Ｔ２を加えた温度（Ｔ０＋Ｔ１＋Ｔ２）との間において、種々の実験・実操業を行い、結露が生じない一定の温度（固定温度）Ｔ３を設定し、その温度Ｔ３以下になった時、防露ヒータ５への通電を自動停止するようにすることもできる。例えば、設定温度Ｔ０＝１２℃とし、Ｔ１、Ｔ２＝５℃と予想する場合、Ｔ３＝２０℃とし、外気温度Ｔｎ≦２０℃となった時、防露ヒータ５への通電を自動停止する。この制御例を、図１に示すタイムチャートにおいて、外気温度Ｔｎが１点鎖線の場合で示す。
【００１４】
以上の各考え（手段）は、保冷庫としても、その保冷庫の制御方法としても採用することができる。
【発明の効果】
【００１５】
この発明は、以上のように、外気温度が所定の温度以下になれば、防露ヒータ５への通電を停止するようにしたので、保冷庫本体開口縁の結露を有効に防止しつつ、防露ヒータ５への無駄な通電を無くすことができる。
【発明を実施するための最良の形態】
【００１６】
この発明の実施形態としては、保冷庫本体に冷凍サイクルを付設し、その冷凍サイクルを庫内温度センサに基づき前記保冷庫本体内が設定温度Ｔ０になるように自動制御する保冷庫において、保冷庫本体の扉開口縁に防露ヒータ５を設け、外気温度センサの感知温度Ｔｎが上記設定温度Ｔ０以下になった時、防露ヒータ５への通電を自動停止する構成を採用することができる（図１の外気温度Ｔｎが点線の場合）。
その設定温度（適温）Ｔ０は、貯蔵物に応じて適宜に設定すれば良いが、例えば、貯蔵物が玄米の場合には、１２℃とする。
【００１７】
この構成において、保冷庫本体の断熱性能を考慮した場合は、外気温度センサの感知温度Ｔｎが上記設定温度Ｔ０に上記保冷庫本体の断熱性能に相当する温度Ｔ１を加えた温度（Ｔ０＋Ｔ１）以下になった時、防露ヒータ５への通電を自動停止するようにすることができる（図１の外気温度Ｔｎが破線の場合）。
また、露点温度Ｔｍを考慮した場合は、外気温度センサの感知温度Ｔｎが、上記設定温度Ｔ０に、その感知温度Ｔｎとその感知時の露点温度Ｔｍとの差Ｔ２（Ｔｎ−Ｔｍ）を加えた温度（Ｔ０＋Ｔ２）以下になった時、防露ヒータ５への通電を自動停止するようにすることができる（図１の外気温度Ｔｎが２点鎖線の場合）。
さらに、断熱性能と露点温度Ｔｍを考慮した場合は、外気温度センサの感知温度Ｔｎが、上記設定温度Ｔ０に、保冷庫本体の断熱性能に相当する温度Ｔ１及びその感知温度Ｔｎ）とその感知時の露点温度Ｔｍとの差Ｔ２を加えた温度（Ｔ０＋Ｔ１＋Ｔ２）以下になった時、防露ヒータ５への通電を自動停止するようにすることができる（図１の外気温度Ｔｎが実線の場合）。
【００１８】
これらの制御において、上述のように、「断熱性能に相当する温度Ｔ１」及び「外気温度Ｔｎと露点温度Ｔｍとの温度差Ｔ２」を一義的に決定し得ない場合は、その断熱性能に相当する温度Ｔ１及びその感知温度Ｔｎとその感知時の露点温度Ｔｍとの差（Ｔｎ−Ｔｍ）を加えた温度（Ｔ０＋Ｔ１＋Ｔｎ−Ｔｍ）と、前記設定温度Ｔ０の間の一定の温度Ｔ３以下になった時、防露ヒータ５への通電を自動停止する構成を採用する（図１の外気温度Ｔｎが1点鎖線の場合）。
【００１９】
つぎに、通常、外気温度Ｔｎが上記設定温度Ｔ０以下であれば、庫内もその設定温度Ｔ０以上に上昇する恐れは少ないため、冷凍サイクルの駆動も停止させれば、無駄はない。例えば、玄米の保冷庫の場合、庫内ファンは冷凍サイクルに同期しているため、冷凍サイクルが停止すれば、庫内ファンも停止して庫内温度は外気温の低下に伴って低下する。この制御を、上記各制御例に応用したタイムチャートを図２乃至図６に示す。因みに、業務用冷蔵庫では、庫内ファンが常時駆動であり、冷凍サイクルが停止しても庫内ファンが駆動しているため、その発熱により、外気温が低下しても庫内温度Ｔｓがそれに伴って低下するとは限らない。
【００２０】
しかし、保冷庫においても、貯蔵物の生命活動等による発熱により、外気温度Ｔｎが上記設定温度Ｔ０以下になっても、庫内温度Ｔｓがその設定温度Ｔ０でない場合がある。
このため、外気温度センサの感知温度Ｔｎが上記設定温度Ｔ０以下となり、その感知温度Ｔｎの設定温度Ｔ０以下が一定時間ｔ継続した条件下で、前記冷凍サイクルを自動停止するとよい。この条件下では、庫内温度Ｔｓの上昇はない、と判断できるからである。仮に、庫内温度Ｔｓが上昇して設定温度Ｔ０を超えれば、その検知によって、冷凍サイクルが駆動されて冷却作用を行い、庫内を設定温度Ｔ０以下に維持する。
その外気温度Ｔｎの一定経過時間ｔも、貯蔵物の生命活動等による発熱等を考慮して適宜に設定すれば良く、例えば、１時間、貯蔵物が玄米の場合、例えば、その１時間とする。
この制御を、上記各制御例に応用したタイムチャートを図７乃至図１１に示す。
【００２１】
このとき、外気温度センサの感知温度Ｔｎが上記設定温度Ｔ０以下になっても、上記防露ヒータ５への通電を停止せずに、その冷凍サイクルの停止とともにその防露ヒータ５を自動停止するようにすることもできる。このようにすれば、外気温度センサの感知温度Ｔｎが設定温度Ｔ０以下になっても、冷凍サイクルが駆動し続けて庫内が冷却され、外気温度Ｔｎより庫内温度Ｔｓが下がって、結露が生じる温度差になっても、防露ヒータ５への通電により、その結露の恐れはない。この制御のタイムチャートを図１２に示す。
【００２２】
これらの発明の実施形態の内容は、保冷庫の制御方法の内容とすることができる。すなわち、保冷庫本体に付設した冷凍サイクルを、庫内温度センサに基づき、その保冷庫本体内が設定温度Ｔ０になるように自動制御する保冷庫の制御方法において、外気温度Ｔｎが上記設定温度Ｔ０、上記温度Ｔ０＋Ｔ１、上記温度Ｔ０＋Ｔ１＋Ｔ２、又は温度Ｔ３以下になった時、上記防露ヒータ５への通電を自動停止するようにした構成としたり、
その構成において、外気温度Ｔｎが上記設定温度Ｔ０以下となり、その外気温度Ｔｎの設定温度Ｔ０以下が一定時間ｔ継続した場合、上記冷凍サイクルを自動停止するようにしたり、
さらに、その冷凍サイクルの停止とともにその防露ヒータ５を自動停止するようにしたりすることもできる。
【実施例】
【００２３】
この実施例は、図１４に示した玄米保冷庫Ａに関わり、同様に、断熱箱体からなる保冷庫本体１の上部に機械室２を設け、その機械室２内に冷凍サイクルを組み込んでいる。庫内ファン（図示せず）はその冷凍サイクルと同期して、冷凍サイクルが停止すると（コンプレッサーが停止すると）、停止するようになっており、これにより、冷凍サイクルの駆動中のみならず、停止中においても、庫内湿度が６０％程度になるようになっている。この庫内湿度を６０％程度に維持することにより、保管玄米３は含水率：１５％程度に維持される。
【００２４】
この保冷庫Ａも、扉４が開閉する保冷庫本体１の開口縁１ａに防露ヒータ５が設けられ、この防露ヒータ５の発熱によってその結露を防止するようになっている。また、保冷庫本体Ａの外面適宜個所に外気温度センサ（図示せず）、保冷庫本体Ａの庫内（貯蔵室）内には庫内温度センサ（図示せず）がそれぞれ設けられている。防露ヒータ５の配置は、保冷庫本体１の開口縁１ａ全周が好ましいが、部分的でも良い。
【００２５】
これらの防露ヒータ５、外気温度センサ、庫内温度センサは、冷凍サイクルの制御器（図示せず）に接続されており、その制御器により、上記冷凍サイクルを庫内温度センサに基づき保冷庫本体１内が設定温度（適温）Ｔ０になるように自動制御して、保冷庫本体１内の玄米３を冷却貯蔵する。その設定温度Ｔ０は、例えば、１２℃とする。
【００２６】
また、上記制御器は、図１２に示すように、外気温度センサの感知温度Ｔｎが上記設定温度Ｔ０以下となり、その感知温度Ｔｎの設定温度Ｔ０以下が一定時間ｔ継続した場合、防露ヒータ５への通電を自動停止する。また、その防露ヒータ５への通電停止とともに、冷凍サイクルも自動停止する。その継続時間ｔは、例えば、１時間とする。
【００２７】
この実施例であると、例えば、年間において、図１３に示すように、外気温が変化する場合、「春季」及び「秋季」は「自動休止（停止）」と「自動運転」が半々となり、「夏季」は「自動運転」、「冬季」は「自動休止」となって、冷凍サイクル及び防露ヒータ５の駆動・非駆動（通電・非通電）が効率的に行われて、無駄のない保冷貯蔵を行うことができる。
【００２８】
この実施例において、外気温度Ｔｎが上記設定温度Ｔ０以下になった時、冷凍サイクルの駆動に関係なく、上記防露ヒータ５への通電を自動停止するようにしたり、外気温度Ｔｎが前記設定温度Ｔ０以下になれば、防露ヒータ５への通電を自動停止し、その通電停止から、前記外気温度の設定温度Ｔ０以下が一定時間ｔ継続した場合、冷凍サイクルを自動停止するようにしたりすることもできる。
【００２９】
また、上記の保冷庫の断熱性能に相当する温度Ｔ１、外気温度と露点温度の差Ｔ２を加味した種々の制御を行うことができる。例えば、防露ヒータ５への通電を自動停止する外気温度Ｔｎと設定温度Ｔ０の温度差を８度とする。すなわち、設定温度Ｔ０を１２℃とした場合、外気温度Ｔｎが２０度以下になった場合、防露ヒータ５への通電を自動停止する。
【００３０】
実施例は、玄米保冷庫の場合であったが、この発明は、他の保冷庫、例えば、籾保冷庫、野菜保冷庫、果物保冷庫等に採用することができることは勿論であり、その際、各保冷庫に入れる物（貯蔵物）に応じて、上記設定温度Ｔ０、一定時間ｔを適宜に決定する。例えば、野菜では、Ｔ０＝０℃、果物（リンゴ、みかん）では、Ｔ０＝０℃等とする。
【図面の簡単な説明】
【００３１】
【図１】一実施形態のタイムチャート図
【図２】他の実施形態のタイムチャート図
【図３】他の実施形態のタイムチャート図
【図４】他の実施形態のタイムチャート図
【図５】他の実施形態のタイムチャート図
【図６】他の実施形態のタイムチャート図
【図７】他の実施形態のタイムチャート図
【図８】他の実施形態のタイムチャート図
【図９】他の実施形態のタイムチャート図
【図１０】他の実施形態のタイムチャート図
【図１１】他の実施形態のタイムチャート図
【図１２】他の実施形態のタイムチャート図
【図１３】一実施例の作用図
【図１４】保冷庫の一例を示す斜視図
【符号の説明】
【００３２】
１  保冷庫本体
１ａ  扉開口縁
２  機械室
３  玄米（貯蔵物）
４  開閉扉
５  防露ヒータ
Ａ  保冷庫
【図１】
2008070034.tif 000004
【図２】
2008070034.tif 000005
【図３】
2008070034.tif 000006
【図４】
2008070034.tif 000007
【図５】
2008070034.tif 000008
【図６】
2008070034.tif 000009
【図７】
2008070034.tif 000010
【図８】
2008070034.tif 000011
【図９】
2008070034.tif 000012
【図１０】
2008070034.tif 000013
【図１１】
2008070034.tif 000014
【図１２】
2008070034.tif 000015
【図１３】
2008070034.tif 000016
【図１４】
2008070034.tif 000017